(57)【特許請求の範囲】
【請求項１】
矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる折り畳みコンテナであって、底板のコーナ部を含めた全周縁部に底板側重複部を設け、第１の側板の下端縁部と側端縁部に第１の重複部を設け、第２の側板の下端縁部と側端縁部に第２の重複部を設け、箱形状に組み立てた状態において、第１の側板の下端部の第１の重複部及び第２の側板の下端部の第２の重複部が、底板のコーナ部分を含めた全周縁部に設けた底板側重複部に対してコーナ部分も含めて内外方向に重なるように構成し、第１の側板の側端縁部の第１の重複部と隣接する第２の側板の側端縁部の第２の重複部を重複して各第２の側板の両側端縁部が上下方向の全長において隣接する第１の側板の両側端縁部に内外方向に重なるように構成して成ることを特徴とする折り畳みコンテナ。
【請求項２】
底板のコーナ部において、該底板のコーナ部に設けた底板側重複部と、第１の側板の第１の重複部と、第２の側板の第２の重複部とが３重に重なっていることを特徴とする請求項１記載の折り畳みコンテナ。
【発明の詳細な説明】
【０００１】
【発明の属する技術分野】
本発明は、折り畳みコンテナに関するものである。
【０００２】
【従来の技術】
従来から、矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる口枠無しの合成樹脂の折り畳みコンテナが知られている。
【０００３】
上記の合成樹脂の折り畳みコンテナは何度でも再使用ができ、しかも、再使用のために、使用場所に再び運んだり、保管したりするに当たって、折り畳んで嵩を低くして運んだり、保管できるので、搬送や保管に当たってスペースを取らず、取り扱いも容易であって流通コストを低減できるという特徴を有しており、様々な収納物を収納するコンテナとして利用されている。
【０００４】
ところが、上記折り畳みコンテナにおいては、箱形状に組み立てた状態で折り畳みコンテナを構成する各部材（底板、第１の側板、第２の側板）の端縁部間（つまり、底板の端縁部と第１の側板の下端縁部との間、底板の端縁部と第２の側板の下端縁部との間、第１の側板の側端縁部と第２の側板の側端縁部との間）に折り畳みコンテナの内外に連通する隙間が生じ、この隙間から虫が侵入する。このため、上記のような合成樹脂製の折り畳みコンテナに果物を入れて航空輸送などで搬送しようとしても、虫が内部に入り込むという問題があって、採用されていないのが現状である。このため従来果物を航空輸送などで搬送する場合には虫が入らない段ボール箱を使用している。
【０００５】
しかしながら、段ボール箱は１回のみの使い切りの使用であり、１回使用したらごみとして捨てられているのが現状であり、ごみ処理や資源の再利用という観点で大きな問題となっており、上記再利用ができる合成樹脂製の折り畳みコンテナに虫が入らないようにして果物を搬送できるようにすることが強く望まれている。
【０００６】
【発明が解決しようとする課題】
本発明は上記の問題点に鑑みて発明したものであり、折り畳みコンテナにおいて、各部材同士の端縁部同士の接合部分の隙間を閉じて虫が侵入しないようにできる折り畳みコンテナを提供することを課題とするものである。
【０００７】
【課題を解決するための手段】
上記課題を達成するため本発明の折り畳みコンテナは、矩形状の底板１の対向する一対の辺にそれぞれ回動自在に取付けた一対の第１の側板２ａと、対向する他の一対の辺に回動自在に取付けた一対の第２の側板２ｂとを、一対の第１の側板２ａを倒した上に一対の第２の側板２ｂを倒した状態で折り畳み且つ一対の第２の側板２ｂを起立させた後に一対の第１の側板２ａを起立させて箱形状に組み立てる折り畳みコンテナ６であって、底板１のコーナ部を含めた全周縁部に底板側重複部３を設け、第１の側板２ａの下端縁部と側端縁部に第１の重複部４を設け、第２の側板２ｂの下端縁部と側端縁部に第２の重複部５を設け、箱形状に組み立てた状態において、第１の側板２ａの下端部の第１の重複部４及び第２の側板２ｂの下端部の第２の重複部５が、底板１のコーナ部分を含めた全周縁部に設けた底板側重複部３に対してコーナ部分も含めて内外方向に重なるように構成し、第１の側板２ａの側端縁部の第１の重複部４と隣接する第２の側板２ｂの側端縁部の第２の重複部５を重複して各第２の側板２ｂの両側端縁部が上下方向の全長において隣接する第１の側板２ａの両側端縁部に内外方向に重なるように構成して成ることを特徴とするものである。このような構成とすることで、折り畳みコンテナ６を箱形状に組み立てた状態で各部材の端縁部同士の接合部分の隙間を隙間閉じ手段Ａにより閉じて各部材の接合部分から虫が内部に侵入しないようにでき、該折り畳みコンテナに果物などを収納し、折り畳みコンテナを上下に複数段積み重ねたり、上開口を蓋４０で閉じたりすることで内部に収納した果物が虫の被害に遭わないようにして搬送することが可能となるものである。特に、第１の側板２ａの下端縁部及び第２の側板２ｂの下端縁部が底板１の周縁部と内外方向に重さね、底板１のコーナ部分を含めた全周縁部において第１の側板２ａ、第２の側板２ｂの各下端との接合部分における隙間を底板側重複部３と、第１の側板２ａの下端縁部の第１の重複部４及び第２の側板２ｂの下端縁部の第２の重複部５とによる重複で閉じることができ、また、隣接する第１の側板２ａの側端縁部と第２の側板２ｂとの側端縁部との接合部分における隙間を上下方向の全長において第１の側板２ａの側端縁部の第１の重複部４と第２の側板２ｂの側端縁部の第２の重複部５との重複で閉じて、各部材の接合部分から虫が内部に侵入しないようにできるものである。
【００１１】
【発明の実施の形態】
以下本発明の実施形態につき説明する。
【００１２】
本発明の折り畳みコンテナ６は、図１乃至図５に示すように、合成樹脂製の矩形状の底板１の対向する一対の辺にそれぞれ一対の第１の側板２ａを回動自在に取付け、対向する他の一対の辺に一対の第２の側板２ｂを回動自在に取付けてあり、一対の第１の側板２ａを倒した上に一対の第２の側板２ｂを倒した状態で折り畳み且つ一対の第２の側板２ｂを起立させた後に一対の第１の側板２ａを起立させて箱形状に組み立て、図６乃至図１０に示すように箱形状に組み立てた折り畳みコンテナ３の上開口部に着脱自在に蓋４０を取付けるようになっている。
【００１３】
折り畳みコンテナ６は底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として説明する。そして、以下の説明においては、第１の側板２ａを長辺側の側板とし、第２の側板２ｂを短辺側の側板として説明する。もちろん、本発明においては第１の側板２ａが短辺側の側板、第２の側板２ｂが長辺側の側板であってもよい。
【００１４】
合成樹脂製の長方形状の底板１の対向する長辺側の辺には第１の側板２ａである長辺側の側板が回動自在に取付けてあり、また、底板１の対向する短辺側の辺には第２の側板２ｂである短辺側の側板が回動自在に取付けてある。
【００１５】
長辺側の側板である第１の側板２ａは、上下方向の長さが底板１の短辺側の長さの１／２以下の長さとなっていて、回動して折り畳んだ場合、対となった第１の側板２ａ同士が重複しないようになっている。また、添付図面の実施形態では短辺側の側板である第２の側板２ｂは、上下方向の長さが底板１の長辺側の長さの１／２以下の長さとなっていて、回動して折り畳んだ場合、対となった第２の側板２ｂ同士が重複しないようになっている。
【００１６】
底板１の上面部の一方の一対の対向する辺には複数の第１軸受け部１３ａが上方に向けて突設して、他方の一対の対向する辺には全長にわたって立ち上がり突部１３ｃが突設してあり、立ち上がり突部１３ａの上面部に複数の第２軸受け部１３ｂが上方に向けて突設してある。また、底板１の上面部の４つのコーナ部分には上方に向けて平面視Ｌ状をしたコーナ突部１３ｄが突設してあり、コーナ突部１３ｄの上面が立ち上がり突部１３ｃの上面よりも上方に位置している。また、コーナ突部１３ｄの両側面のうち立ち上がり突部１３ｃ側の側面である一方の側面下部には立ち上がり突部１３ｃの上面に突設した第２軸受け部１３ｂが位置しており、また、コーナ突部１３ｄの他方の側面下部に第１軸受け部１３ａが位置しており、第１の軸受け部１３ａよりも第２の軸受け部１３ｂが上方に位置している。
【００１７】
軸受け部１３ａ、１３ｂは添付図面に示す実施形態においては図１１、図１３、図１８等に示すように断面略コ字状をしており、上面に設けたスリット７０と側方に設けた開口７１部分において上方及び側方にのみ開口していて底部及び奧部は閉じていて底板１の外面側には開口せず、底板１の内面側にのみ開口している構造（つまり外面側から虫が軸受け部１３ａ、１３ｂを通して折り畳みコンテナ６内に入らない構造）となっている。
【００１８】
底板１のコーナ部を含めた全周縁部に上方に向けて底板側重複部３を設けてある。すなわち、底板１の４辺のうち対向する一方の一対の辺には全長にわたって第１底板側重複部３ａが設けてあり、底板１の対向する他の一対の辺には第２底板側重複部３ｂが設けてあり、底板１の４つのコーナ部分にはコーナ底板側重複部３ｃが設けてあり、上記第１底板側重複部３ａ、第２底板側重複部３ｂ、コーナ底板側重複部３ｃにより底板１のコーナ部を含めた全周縁部に設けた底板側重複部３を構成している。
【００１９】
ここで、第２底板側重複部３ｂは立ち上がり突部１３ｃの外側に沿って上方に突出していて、第２底板側重複部３ｂの上端は第２軸受け部１３ｂの上端よりも上方に位置している。また、第１軸受け部１３ａは第１底板側重複部３ａの内側に沿って位置しており、第１底板側重複部３ａの上端は第１軸受け部１３ａの上端よりも上方に位置し且つ第２底板側重複部３ｂの上端よりも下方に位置している。コーナ底板側重複部３ｃはコーナ突部１３ｄの上面の外側端部及び第１軸受け部１３ａ側の側面の外側端部にかけて連続して上方又は側方に突出している。
【００２０】
第１の側板２ａ、第２の側板２ｂはいずれも下端部に下向き突部１２ａ、１２ｂが突設してあり、この下向き突部１２ａ、１２ｂの両側には横軸部３７ａ、３７ｂが側方に向けて突設してある。
【００２１】
そして、第１の側板２ａの下向き突部１２ａを第１軸受け部１３ａ間に位置させて横軸部３７ａを該下向き突部１２ａの両側の第１軸受け部１３ａ内に上面部のスリット７０を利用して上方から無理嵌めして回動自在に嵌め込んである。また、第２の側板２ｂの下向き突部１２ｂを第２軸受け部１３ｂ間に位置させて横軸部３７ｂを該下向き突部１２ｂの両側の第２軸受け部１３ｂ内に上面部のスリット７０を利用して上方から無理嵌めして回動自在に嵌め込んである。このように一対の第１の側板２ａ、一対の第２の側板２ｂを底板１に設けた第１軸受け部１３ａ、第２軸受け部１３ｂにそれぞれ回動自在に取付けることで、一対の第１の側板２ａを倒した上に一対の第２の側板２ｂを倒した状態で折り畳むことができ、また、一対の第２の側板２ｂを起立させた後に一対の第１の側板２ａを起立させて箱形状に組み立てることができるようになっている。この場合、軸受け部１３ａ、１３ｂは図１１，図１３、図１８に示すように上方及び側方に開口しているのみであるから前述のように底板１の外から軸受け部１３ａ、１３ｂを介して折り畳みコンテナ６内に虫が侵入することはない。
【００２２】
ここで、添付図面に示す実施形態においては、折り畳み時に先に倒す一対の第１の側板２ａは倒した状態で第１の側板２ａ同士が重ならず且つ該第１の側板２ａを底板１に対して略平行に当接又は該第１の側板２ａと底板１とが僅かな小隙間を介して対向するように設定してある。このように構成することで、折り畳んだ状態における折り畳みコンテナ６の嵩を低くすることができるものである。
【００２３】
第１の側板２ａは図２０に示すように板部３５ａの外面部にリブ３５ｂを一体に突設して主体が構成してあり、板部３５ａの両側端部の上部においては縦方向のリブ３５ｂ１が板部３５ａの側端よりも少し内側に引き込んで位置しており、言い換えれば板部３５ａの両側端部の上部は縦方向のリブ３５ｂ１よりも外側に突出しており、この板部３５ａの両側端部の上部の縦方向のリブ３５ｂ１よりも外側に突出した部分３５ａ１に板部３５ａの外面と直交する方向に嵌め込み突部１４が上下方向に複数個突設してある。また、上記板部３５ａの両側端部の下部においては縦方向のリブ３５ｂ２が板部３５ａの側端に沿って位置しており、上の縦方向のリブ３５ｂ１の下端と下の縦方向のリブ３５ｂ２の上端とが横方向のリブ３５ｂ３により一体に連続している。
【００２４】
第１の側板２ａには下端縁部と側端縁部に第１の重複部４を設けてある。添付図面に示す実施形態においては、第１の側板２ａの下端縁部の第１の重複部４は、第１の側板２ａの下端縁部に設けられた横方向の下縁部リブ３５ｂ４の外側下角部の全長にわたって段落部４ａを形成することで構成してある。また、第１の側板２ａの側端部においては、上記縦方向のリブ３５ｂ２の外面及び横方向のリブ３５ｂ３の上面にわたって形成した連続する縦突条４ｂ、横突条４ｃと、上記板部３５ａの両側端部の上部の縦方向のリブ３５ｂ１よりも外側に突出した部分３５ａ１とで第１の側板２ａの側端縁部の第１の重複部４を構成している。第１の重複部４を構成する縦方向のリブ３５ｂ２の外面に設けた縦突条４ｂは上部縦突条４ｂ１と、下部縦突条４ｂ２と、中間連結突条４ｂ３とで構成してある。ここで上部縦突条４ｂ１は下部縦突条４ｂ２よりも板部３５ａ側にずれて位置しており、中間連結突条４ｂ３はこのずれた上部縦突条４ｂ１の下端と下部縦突条４ｂ２の上端とを連続一体化するように構成してある。
【００２５】
また、第１の側板２ａの上端部の両側にはロック部５０が設けてあり、ロック部５０は第１の側板２ａの両端面部から外側方に突出している。第１の側板２ａの外面部の上端部の両側には凹所１５が設けてある。第１の側板２ａの凹所１５の両側のリブ３５ｂのうち一方のリブ３５ｂである縦方向のリブ３５ｂ１には上下に長い長孔１８が形成してあり、また、複数個の嵌め込み突部１４のうち上記長孔１８に対向する嵌め込み突部１４には上記長孔１８に対応して同じ上下長さの孔１９が形成してある。
【００２６】
ロック部５０は図１９、図２０に示すようなもので、操作部２０と操作部２０から側方に突出したロック棒２４と、操作部２０を上方に弾性的に押し上げるばね２９とで構成してあり、操作部５０を凹所１５に上下移動自在に嵌め込むと共にロック棒２４を長孔１８、孔１９に上下移動自在にはめ込むと共にロック棒２４の先端部を第１の側板２ａの側端よりも外方に突出してあり、外力を加えない状態ではばね２９のばね力により操作部２０を凹所１５の上部側に弾性的に押し上げており、操作部２０をばね２９のばね力に抗して下方に移動させると、操作部２０とともにロック棒２４が下方に移動するようになっている。
【００２７】
第２の側板２ｂは板部３６ａの外面部にリブ３６ｂを一体に突設して主体が構成してあり、第２の側板２ｂの両端下部の底板１のコーナ突部１３ｄに対応した部分が上方に凹んでいる凹段部２ｂ１となっている。また、第２の側板２ｂの内面の側端部には図１５、図１８に示すように第２の側板２ｂの内面に対して直交する方向に突部３０が突設してあり、この突部３０は平面視段状をしていて、突出長さの短い短突部３１とこの短突部３１よりも第２の側板２ｂの横方向の外方にずれた位置から突出する突出長さの長い端突部３２とで構成してある。また、凹段部２ｂ１の下面と短突部３１の下面とを同一面としてある。突出長さの長い端突部３２の短突部３１より突出した部分の下面が短突部３１の下面よりも上方に位置している。
【００２８】
第２の側板２ｂには下端縁部と側端縁部に第２の重複部５を設けてある。添付図面に示す実施形態においては、第２の側板２ｂの下端縁部の第２の重複部５は、図１１に示すように第２の側板２ｂの下端縁部の凹段部２ｂ１間の全長において横方向のリブ３６ｂの外側下角部の全長にわたって段落部５ａを形成し、更に図１８に示すように、第２の側板２ｂの下端縁部の凹段部２ｂ１の下面及び短突部３１の外面から下方に平面視Ｌ状をした下向き突条５ｂを形成して、段落部５ａ、下向き突条５ｂにより第２の側板２ｂには下端縁部の第２の重複部５を構成してある。
【００２９】
また、上記下向き突条５ｂの端部に連続して短突部３１の下端に沿って立ち上がると共に端突部３２の下面に沿って横向きとなった正面視Ｌ状をした側端下部突条５ｃが設けてあり、この側端下部突条５ｃと端突部３２とで第２の側板２ｂの側端縁部の第２の重複部５を構成してある。
【００３０】
上記突出長さの短い短突部３１の上部にはロック受け部５１が形成してあり、ロック受け部５１には突出先端面に開口する突出先端開口部９を有し且つ第２の側板２ｂの内面に沿った方向において下部に出し入れ用開口部１０を有する縦断面略Ｌ状をしたＬ状溝部１１が設けてある。Ｌ状溝部１１の出し入れ用開口部１０よりも上部の溝は被ロック部３８となっている。この被ロック部３８となる溝の外側壁の外面は傾斜した傾斜導入面３９となっている。この傾斜導入面３９は第２の側板２ｂを先に起立させた状態で第１の側板２ａを回動した際にばね２９で押し上げられた状態のロック部５０の回動軌跡上に位置している。
【００３１】
突出長さの長い端突部３２には上下方向に複数個の嵌め込み孔部３４が形成してある。ここで、嵌め込み孔部３４は端突部３２を内外に貫通していてもよいが、嵌め込み孔部３４の底が端突部３２部分で閉じられたものであってもよく、この方が虫の侵入をより確実に防止できる。なお、嵌め込み孔部３４が端突部３２を内外に貫通している場合、上端部の嵌め込み孔部３４は外部からロック部５０が見えるので、嵌め込み孔部３４にカバー材（図示を省略している）を着脱自在に取付けることで、ロック部５０が外から見えないようにすると共に、上端部の嵌め込み孔部３４から虫が侵入しないようにするのがよい。
【００３２】
上記のような構成の折り畳みコンテナ６において、折り畳みコンテナ６を箱状に組み立てるに当たっては、第２の側板２ｂの上端部を掴んで第２の側板２ｂを回動させて起立させる。このように第２の側板２ｂを起立させると、第２の側板２ｂの下端縁部の第２の重複部５を構成する段落部５ａ、下向き突条５ｂがそれぞれ図１１、図１２に示すように底板１の対向する他の一対の辺の第２底板側重複部３ｂと、コーナ底板側重複部３ｃとにそれぞれ重複し、第２の側板２ｂの下縁部と底板１の側縁部との接合部分において第２の側板２ｂを回動する構成とするために生じる隙間を上記内外方向において段落部５ａ、下向き突条５ｂがそれぞれ第２底板側重複部３ｂ、コーナ突部１３ｄの上面の外側端部に設けたコーナ底板側重複部３ｃに重複することで閉じるようになっている。
【００３３】
上記のようにして一対の第２の側板２ａを起立させた後、次に、一対の第１の側板２ａの上端部を掴んで回動させて起立させる。このように第１の側板２ａを回動して起立させるとばね２９で押し上げられた状態のロック部５０のロック棒２４がロック受け部５１の傾斜導入面３９に当たるので、この状態で更に第１の側板２ａに更に少し回動する力を与えるとロック棒２４が傾斜導入面３９に沿って下降し、傾斜導入面３９の下方の出し入れ用開口部１０からＬ状溝部１１内に入り、ロック棒２４がＬ状溝部１１内に入るとばね２９のばね力により上方に押し上げられてＬ状溝部１１内の上部の被ロック部３８に嵌め込まれてロック状態となり、第１の側板２ａが回動できず、起立状態が保持される。この第１の側板２ａを起立させた状態では、更に、第１の側板２ａの両側の外面部に設けた複数の嵌め込み突部１４がそれぞれ、第２の側板２ｂの端突部３２に設けた複数の嵌め込み孔部３４に嵌め込まれ、これにより第２の側板２ａが回動できず、起立状態が保持される。
【００３４】
上記のように第１の側板２ａを起立させた状態では、図１３に示すように第１の側板２ａの下端縁部の第１の重複部４を構成する段落部４ａが底板１の対向する一方の一対の辺の第１底板側重複部３ａに重複する。また、第１の側板２ａの側端縁部の第１の重複部４を構成する縦突条４ｂ、横突条４ｃ、板部３５ａの両側端部の上部の縦方向のリブ３５ｂ１よりも外側に突出した部分３５ａ１がそれぞれ、第２の側板２ａの側端縁部の第２の重複部５を構成する正面視Ｌ状をした側端下部突条５ｃ、端突部３２に重複する。つまり、縦突条４ｂ、横突条４ｃが側端下部突条５ｃに内外方向に重複し、板部３５ａの両側端部の上部の縦方向のリブ３５ｂ１よりも外側に突出した部分３５ａ１が端突部３２に内外方向に重複する。
【００３５】
この場合、底板１のコーナ部において、底板１、第１の側板２ａ、第２の側板２ｂの３つの部材が接合する部位においては、図１７に示すように底板１のコーナ部に設けた底板側重複部３と、第１の側板２ａの第１の重複部４と、第２の側板２ｂの第２の重複部５とが３重に重なるものである。すなわち、コーナ突部１３ｄの上面の外側端部に設けたコーナ底板側重複部３ｃの一部及びコーナ突部１３ｄの第１軸受け部１３ａ側の側面の外側端部に設けたコーナ底板側重複部３ｃに縦突条４ｂを構成する上部縦突条４ｂ１と、中間連結突条４ｂ３と、下部縦突条４ｂ２とが重複し、また、上部縦突条４ｂ１の下端部が、コーナ突部１３ｄの上面の外側端部に設けたコーナ底板側重複部３ｃに重複している下向き突条５ｂの側端（つまり側端下部突条５ｃの下端に相当する）の内面側に重複することになり、この底板１、第１の側板２ａ、第２の側板２ｂの３つの部材が接合する部位においては、上部縦突条４ｂ１の下端部、コーナ底板側重複部３ｃ、下向き突条５ｂの側端が３重に内外方向に重複して虫が内部に侵入しないようにしている。
【００３６】
上記のように箱形状に組み立てた折り畳みコンテナ６は折り畳みコンテナ６を構成する各部材（底板１、一対の第１の側板２ａ、一対の第２の側板２ｂ）の端縁部同士の接合部分に折り畳み構成とするために必然的に生じる隙間を上記のように構成した底板側重複部３、第１の重複部４、第２の重複部５よりなる隙間閉じ手段Ａで閉じることで、折り畳みコンテナ６を構成する各部材の端縁部同士の接合部分に生じる隙間から虫が入らない構造にできるものである。
【００３７】
そして、上記の折り畳みコンテナ６を構成する各部材の端縁部同士の接合部分に生じる隙間から虫が入らない構造の折り畳みコンテナ６には、内部に例えば果物などを収納するものであり、単体の場合には折り畳みコンテナ６の上開口部に蓋４０を着脱自在に被せて搬送したり、あるいは複数の折り畳みコンテナ６の内部に果物などを収納して搬送する場合には折り畳みコンテナ６を上下方向に多段に積層し、最上段の折り畳みコンテナ６の上開口部に蓋４０を着脱自在に被せて搬送するものである。
【００３８】
なお、底板１、第１の側板２ａ、第２の側板２ｂ、蓋４０はいずれも基本形状はべた面であるが、必要に応じて通気性を確保するため、底板１、第１の側板２ａ、第２の側板２ｂ、蓋４０虫が侵入できない程度の微細孔をあけてもよく、また、底板１、第１の側板２ａ、第２の側板２ｂ、蓋４０に孔や開口を設けてこの孔や開口に不織布のような虫が侵入できない通気性を有するシートを貼着してもよいものである。
【００３９】
一方、箱状に組み立てた折り畳みコンテナ６を折り畳むに当たっては、ロック部５０の操作部２０を操作してばね２９に抗してロック部５０を下方に下げることでロック棒２４をＬ状溝部１１の下部に位置させて非ロック状態とし、この状態のまま第１の側板２ａの上端部を掴んで回動させることで、ロック棒２４が出し入れ用開口部１０から出て第１の側板２ａを回動させることができるものであり、このようにして一対の第１の側板２ａを底板１の上面に重ねるように倒す。次に、一対の第２の側板２ｂの上端部を掴んで回動することで先に倒している一対の第１の側板２ａの上に一対の第２の側板２ｂを重ね、図５に示すように折り畳みコンテナ６をコンパクトな状態に折り畳むものである。
【００４０】
【発明の効果】
本発明の請求項１記載の発明にあっては、上述のように、底板のコーナ部を含めた全周縁部に底板側重複部を設け、第１の側板の下端縁部と側端縁部に第１の重複部を設け、第２の側板の下端縁部と側端縁部に第２の重複部を設け、箱形状に組み立てた状態において、第１の側板の下端部の第１の重複部及び第２の側板の下端部の第２の重複部が、底板のコーナ部分を含めた全周縁部に設けた底板側重複部に対してコーナ部分も含めて内外方向に重なるように構成し、第１の側板の側端縁部の第１の重複部と隣接する第２の側板の側端縁部の第２の重複部を重複して各第２の側板の両側端縁部が上下方向の全長において隣接する第１の側板の両側端縁部に内外方向に重なるように構成してあるので、折り畳みコンテナを箱形状に組み立てた状態で折り畳みコンテナにおいて生じる各部材の端縁部同士の接合部分の隙間を閉じることができ、この結果、折り畳みコンテナを構成する各部材の接合部分から虫が内部に侵入しない構造にできるものである。特に、底板のコーナ部分を含めた全周縁部において第１の側板、第２の側板の各下端との接合部分における隙間を底板側重複部と、第１の側板の下端縁部の第１の重複部及び第２の側板の下端縁部の第２の重複部とによる重複で閉じることができ、また、隣接する第１の側板の側端縁部と第２の側板との側端縁部との接合部分における隙間を上下方向の全長にわたって第１の側板の側端縁部の第１の重複部と第２の側板の側端縁部の第２の重複部との重複で閉じて、各部材の接合部分から虫が内部に侵入しないようにできるものである。
【００４３】
また、請求項２記載の発明にあっては、上記請求項１記載の発明の効果に加えて、底板のコーナ部において、該底板のコーナ部に設けた底板側重複部と、第１の側板の第１の重複部と、第２の側板の第２の重複部とが３重に重なっているので、３つの部材の端部が向き合う最も隙間が生じやすい底板のコーナ部分において、底板側重複部と、第１の側板の第１の重複部と、第２の側板の第２の重複部とが３重に重なって隙間を閉じて３つの部材の端部が向き合って位置する部分から内部に虫が入らないようにできるものであり、折り畳みコンテナにおいて確実に内部に虫が入らない構造にできるものである。
【図面の簡単な説明】
【図１】本発明の折り畳みコンテナを箱形状に組み立てた状態の正面図である。
【図２】同上の側面図である。
【図３】同上の平面図である。
【図４】同上の底面図である。
【図５】同上の折り畳みコンテナを折り畳んだ状態の断面図である。
【図６】同上の箱形状に組み立てた折り畳みコンテナに蓋を取付けた状態の正面図である。
【図７】同上の蓋を取付けた状態の側面図である。
【図８】同上の蓋を取付けた状態の平面図である。
【図９】同上の蓋を取付けた状態の正面断面図である。
【図１０】同上の蓋を取付けた状態の側面断面図である。
【図１１】図３のＢ−Ｂ線の拡大断面図である。
【図１２】同上の図３のＣ−Ｃ線の拡大断面図である。
【図１３】同上の図３のＤ−Ｄ線の拡大断面図である。
【図１４】同上の第２の側板を起立させ且つ第１の側板を起立する前の状態の断面図である。
【図１５】同上の第１の側板を起立させている途中の状態を示す斜視図である。
【図１６】同上の第１の側板を起立させている途中の状態を示す断面図である。
【図１７】同上の底板、第１の側板、第２の側板の３つの部材が接合する部位において底板のコーナ部に設けた底板側重複部と、第１の側板の第１の重複部と、第２の側板の第２の重複部とが３重に重なった部分である図１１のＥ部分の拡大断面図である。
【図１８】同上の底板のコーナ部と第２の側板の側端部の下部とを示す分解斜視図である。
【図１９】同上の第１の側板の正面図である。
【図２０】同上の第１の側板の端部の斜視図である。
【符号の説明】
Ａ  隙間閉じ手段
１  底板
２ａ  第１の側板
２ｂ  第２の側板
３  底板側重複部
４  第１の重複部
５  第２の重複部
【図１】
0003971647.tif 000002
【図２】
0003971647.tif 000003
【図３】
0003971647.tif 000004
【図４】
0003971647.tif 000005
【図５】
0003971647.tif 000006
【図６】
0003971647.tif 000007
【図７】
0003971647.tif 000008
【図８】
0003971647.tif 000009
【図９】
0003971647.tif 000010
【図１０】
0003971647.tif 000011
【図１１】
0003971647.tif 000012
【図１２】
0003971647.tif 000013
【図１３】
0003971647.tif 000014
【図１４】
0003971647.tif 000015
【図１５】
0003971647.tif 000016
【図１６】
0003971647.tif 000017
【図１７】
0003971647.tif 000018
【図１８】
0003971647.tif 000019
【図１９】
0003971647.tif 000020
【図２０】
0003971647.tif 000021